(57)【要約】  電子部品収納容器（１０）は、電子部品を収納しかつ一方側に向けて開口する収納凹部（２２）を、１つ以上有し、長手方向に延びる本体部（２０）と、収納凹部（２２）の開口部（２２３）を覆う蓋部（４０）と、本体部（２０）と蓋部（４０）の間に挟み込まれたカバーシート（３０）とを備え、蓋部（４０）における本体部（２０）と対向する面は、カバーシート（３０）と接合されていない。
2019065734.tif 000002
【特許請求の範囲】
【請求項１】
電子部品を収納しかつ一方側に向けて開口する収納凹部を、１つ以上有し、長手方向に延びる本体部と、
前記収納凹部の開口部を覆う蓋部と、
前記本体部と前記蓋部の間に挟み込まれたカバーシートとを備え、
前記蓋部における前記本体部と対向する面は、前記カバーシートと接合されていない、電子部品収納容器。
【請求項２】
前記本体部は、複数の前記収納凹部を有する、請求項１に記載の電子部品収納容器。
【請求項３】
前記本体部、前記カバーシート、および前記蓋部は、平面視した場合に矩形形状を有する、請求項１または２に記載の電子部品収納容器。
【請求項４】
前記カバーシートは、前記蓋部の周りを周回するように前記蓋部に巻回されている、請求項１から３のいずれか１項に記載の電子部品収納容器。
【請求項５】
前記カバーシートは、前記本体部に接合された接合部を有し、
前記接合部は、熱溶着部を含む、請求項１から４のいずれか１項に記載の電子部品収納容器。
【請求項６】
前記蓋部は、前記長手方向に沿って前記本体部に相対的に移動可能に設けられており、
前記蓋部および前記本体部の少なくとも一方に、前記蓋部の前記長手方向に沿った相対的な移動を案内するガイド部が設けられている、請求項１から５のいずれか１項に記載の電子部品収納容器。
【請求項７】
前記開口部は、平面視した場合に、前記開口部の外縁の形状が前記長手方向と直交する方向に延在する直線状の辺部を含まない形状を有する、請求項１から６のいずれか１項に記載の電子部品収納容器。
【請求項８】
前記本体部は、前記開口部の周囲に位置する部分に前記収納凹部の深さ方向とは反対側に向けて隆起する隆起部を有する、請求項１から７のいずれか１項に記載の電子部品収納容器。
【請求項９】
前記開口部と隣接する前記収納凹部の開口縁部は、湾曲部を有し、
前記湾曲部の曲率半径は、０．１ｍｍ以上０．７ｍｍ以下である、請求項１から８のいずれか１項に記載の電子部品収納容器。
【請求項１０】
前記収納凹部は、樹脂によって構成されており、
前記収納凹部の内表面の表面抵抗率は、１Ｅ９Ω／□以下である、請求項１から９のいずれか１項に記載の電子部品収納容器。
【請求項１１】
前記カバーシートの表面抵抗率は、１Ｅ１１Ω／□以下である、請求項１から１０のいずれか１項に記載の電子部品収納容器。
【請求項１２】
請求項１から１１のいずれか１項に記載の電子部品収納容器と、
前記収納凹部に収納された前記電子部品と、を備えた電子部品連。
【請求項１３】
前記収納凹部は、複数の前記電子部品を収納している、請求項１２に記載の電子部品連。
【請求項１４】
前記本体部は、複数の前記収納凹部を有し、
複数の前記収納凹部は、複数の前記電子部品を収納可能に構成され、
複数の前記収納凹部のそれぞれに、２０００個以上の前記電子部品が収納されている、請求項１３に記載の電子部品連。
【発明の詳細な説明】
【技術分野】
【０００１】
本発明は、電子部品収納容器および電子部品連に関する。
【背景技術】
【０００２】
従来、電子部品を収納可能に設けられた電子部品収納容器が各種開発されている。
特開２００６−２０６０８２号公報（特許文献１）、特開２０００−４３９７７号公報（特許文献２）には、複数の電子部品が収納される電子部品収納容器が開示されている。【０００３】
特開２００２−９６８９２号公報（特許文献３）、および特開２００２−２７４５９３号公報（特許文献４）には、収納容器に複数の電子部品が収納されるハードケースによって構成される電子部品収納ケースが開示されている。
【先行技術文献】
【特許文献】
【０００４】
【特許文献１】特開２００６−２０６０８２号公報
【特許文献２】特開２０００−４３９７７号公報
【特許文献３】特開２００２−９６８９２号公報
【特許文献４】特開２００２−２７４５９３号公報
【発明の概要】
【発明が解決しようとする課題】
【０００５】
しかしながら、特許文献１および特許文献２に開示の電子部品収納容器にあっては、作業者が収納袋を開封して、開封部から複数の電子部品を取り出さなければならず、収納袋を自動的に開封することが困難であった。また、収納された電子部品が小型である場合には、開封部の縁に電子部品が引っ掛かり、電子部品を取り出せなくなる場合がある。【０００６】
特許文献３および特許文献４に開示の電子部品収納容器にあっては、収納容器の開口部を開閉するためのスライド式のシャッターが設けられており、開口部を規定する収納容器の内周面には、シャッターが移動するための溝部が設けられている。このため、収納容器内に収納された複数の電子部品が小型である場合には、当該溝に電子部品が引っ掛かり、電子部品を取り出せなくなる場合がある。【０００７】
本発明は、上記のような問題に鑑みてなされたものであり、本発明の目的は、自動的に開封することに適しており、かつ、電子部品を円滑に取り出すことができる電子部品収納容器および電子部品連を提供することにある。
【課題を解決するための手段】
【０００８】
本発明に基づく電子部品収納容器は、電子部品を収納しかつ一方側に向けて開口する収納凹部を、１つ以上有し、長手方向に延びる本体部と、上記収納凹部の開口部を覆う蓋部と、上記本体部と上記蓋部の間に挟み込まれたカバーシートとを備える。上記蓋部における上記本体部と対向する面は、上記カバーシートと接合されていない。【０００９】
上記本発明に基づく電子部品収納容器にあっては、上記本体部は、上記収納凹部を複数有していてもよい。【００１０】
上記本発明に基づく電子部品収納容器にあっては、上記本体部、上記カバーシート、および上記蓋部は、平面視した場合に矩形形状を有していてもよい。【００１１】
上記本発明に基づく電子部品収納容器にあっては、上記カバーシートは、上記カバーシートは、上記蓋部の周りを周回するように上記蓋部に巻回されていてもよい。【００１２】
上記本発明に基づく電子部品収納容器にあっては、上記カバーシートは、熱溶着によって上記開口部の周囲に位置する部分の上記本体部の少なくとも一部に接合されていてもよい。【００１３】
上記本発明に基づく電子部品収納容器にあっては、上記蓋部は、上記長手方向に沿って上記本体部に相対的に移動可能に設けられていてもよい。この場合には、上記蓋部および上記本体部の少なくとも一方に、上記蓋部の上記長手方向に沿った相対的な移動を案内するガイド部が設けられていてもよい。【００１４】
上記本発明に基づく電子部品収納容器にあっては、上記開口部は、平面視した場合に、上記開口部の外縁の形状が上記長手方向と直交する方向に延在する直線状の辺部を含まない形状を有していてもよい。【００１５】
上記本発明に基づく電子部品収納容器にあっては、上記本体部は、上記開口部の周囲に位置する部分に上記収納凹部の深さ方向とは反対側に向けて隆起する隆起部を有していてもよい。【００１６】
上記本発明に基づく電子部品収納容器にあっては、上記開口部と隣接する上記収納凹部の開口縁部は、湾曲部を有していてもよい。この場合には、上記湾曲部の曲率半径は、０．１ｍｍ以上０．７ｍｍ以下であることが好ましい。【００１７】
上記本発明に基づく電子部品収納容器にあっては、上記収納凹部は、樹脂によって構成されていてもよい。この場合には、上記収納凹部の内表面の表面抵抗率は、１Ｅ９Ω／□以下であることが好ましい。【００１８】
上記本発明に基づく電子部品収納容器にあっては、上記カバーシートの表面抵抗率は、１Ｅ１１Ω／□以下であることが好ましい。【００１９】
本発明に基づく電子部品連は、上記電子部品収納容器と、上記収納凹部に収納された上記電子部品と、を備える。【００２０】
上記本発明に基づく電子部品連にあっては、上記収納凹部は、複数の上記電子部品を収納していてもよい。【００２１】
上記本発明に基づく電子部品連は、上記本体部は、上記収納凹部を複数有していてもよく、上記収納凹部は、複数の上記電子部品を収納可能に構成されていてもよい。この場合には、複数の上記収納凹部のそれぞれに、２０００個以上の上記電子部品が収納されていてもよい。また、６０００個以上の上記電子部品が収納されていてもよい。
【発明の効果】
【００２２】
本発明によれば、自動的に開封することに適しており、かつ、電子部品を円滑に取り出すことができる電子部品収納容器および電子部品連を提供することができる。
【図面の簡単な説明】
【００２３】
【図１】実施の形態に係る電子部品連を示す図である。
【図２】図１に示すＩＩ−ＩＩ線に沿った断面図である。
【図３】図１に示すＩＩＩ−ＩＩＩ線に沿った断面図である。
【図４】実施の形態に係る電子部品連の蓋部を本体部に対して相対的にスライド移動させる様子を示す斜視図である。
【図５】実施の形態に係る電子部品連から電子部品を取り出す様子を示す断面図である。
【図６】他の第１実施の形態に係る電子部品連の断面図である。
【図７】他の第１実施の形態に係る電子部品連から電子部品を取り出す様子を示す断面図である。
【図８】他の第２実施の形態に係る電子部品連の断面図である。
【図９】他の第２実施の形態に係る電子部品連から電子部品を取り出す様子を示す断面図である。
【発明を実施するための形態】
【００２４】
以下、本発明の実施の形態について、図を参照して詳細に説明する。なお、以下に示す実施の形態においては、同一のまたは共通する部分について図中同一の符号を付し、その説明は繰り返さない。
【００２５】
（実施の形態１）
図１から図３を参照して、実施の形態に係る電子部品連１００について説明する。
【００２６】
図１から図３に示すように、実施の形態１に係る電子部品連１００は、複数の電子部品１（図２参照）と、電子部品収納容器１０とを備える。電子部品連１００は、後述するように、蓋部４０を本体部２０に対して相対的にスライド移動させることにより、収納凹部２２に収納された電子部品１を取り出し可能に構成されている。
【００２７】
電子部品１は、たとえば積層セラミックコンデンサである。電子部品１の外形の長手方向の寸法、幅方向の寸法、および厚さ方向の寸法は、たとえば、１．０ｍｍ×０．５ｍｍ×０．５ｍｍ、０．４ｍｍ×０．２ｍｍ×０．２ｍｍ、または、０．２ｍｍ×０．１ｍｍ×０．１ｍｍである。
【００２８】
電子部品収納容器１０は、本体部２０と、カバーシート３０と、蓋部４０とを備える。電子部品収納容器１０は、たとえば、長手方向（ＤＲ１方向）、短手方向（ＤＲ２方向）を有し、長尺状に形成されている。なお、長手方向は、後述するスライド方向と平行である。平面視した場合に、本体部２０、カバーシート３０、および蓋部４０は、矩形形状を有する。
【００２９】
本体部２０は、上記長手方向に延びるように設けられている。本体部２０は、平板部２１、複数の収納凹部２２、および複数の隆起部２３を含む。本体部２０は、たとえば、シート部材を加工することによって構成されている。シート部材の材料としては、カーボンや導電塗料等の導電材料を練りこんだポリスチレン、およびポリエチレンテレフタラート等を採用することができる。シート部材の厚さは、たとえば、０．５ｍｍ程度である。
【００３０】
平板部２１は、おもて面２１ａおよびうら面２１ｂを有する。平板部２１は、後述する収納凹部２２の開口面２２４に略平行となるように設けられている。
【００３１】
複数の収納凹部２２は、上記長手方向ＤＲ１方向に沿って並んで配置されている。複数の収納凹部２２は、一列に並んで配置されているが、これに限定されず、二列で配置されていてもよいし、二列以上で配置されていてもよい。また、複数の収納凹部２２は、行列状に配置されていてもよいし、千鳥状に配置されていてもよいし、あるいは、ランダムに配置されていてもよい。
【００３２】
収納凹部２２は、複数の電子部品１を収納可能に構成されている。電子部品１の外形寸法が、１．０ｍｍ×０．５ｍｍ×０．５ｍｍである場合には、１つの収納凹部２２に２０００個以上の電子部品１を収納することができ、たとえば略６０００個の電子部品１を収納することができる。電子部品１の外形寸法が、０．４ｍｍ×０．２ｍｍ×０．２ｍｍである場合には、１つの収納凹部２２に略１０００００個の電子部品１を収納することができる。
【００３３】
収納凹部２２は、一方側に向けて開口するように設けられている。収納凹部２２は、平板部２１のおもて面２１ａ側に向けて開口するように設けられている。収納凹部２２の深さ方向（ＡＲ１方向）における深さ寸法は、平板部２１の厚さよりも大きい。収納凹部２２の深さ寸法は、たとえば１２ｍｍ程度である。
【００３４】
収納凹部２２は、底部２２１、周壁部２２２を備え、底部２２１と対向する位置に開口部２２３を形成している。底部２２１は、平板部２１と略平行となるように設けられている。周壁部２２２は、底部２２１の周縁から立設されている。平板部２１に接続される周壁部２２２の端部側に開口部２２３が設けられている。
【００３５】
収納凹部２２は、樹脂によって構成されており、収納凹部２２の内表面の表面抵抗率は、たとえば、０Ω／□以上１Ｅ０９Ω／□以下であることが好ましい。これにより、収納凹部２２の内表面に、静電気によって電子部品１が付着することを抑制できる。
【００３６】
開口部２２３は、平面視した場合に、後述する蓋部４０の相対的なスライド方向（図４中ＡＲ２方向）と直交する方向に延在する辺部を含まない形状を有する。すなわち、開口部２２３は、その外縁の形状が上記長手方向と直交する方向に延在する直線状の辺部を含まない形状を有する。具体的には、開口部２２３は、平面視した場合に、たとえば、直径２０ｍｍ程度の略円形形状を有する。
【００３７】
なお、開口部２２３は、平面視した場合に、楕円形状を有していてもよいし、蓋部４０の相対的なスライド方向と直交する方向に延在する直線状の辺部を含まない多角形形状を有していてもよい。たとえば、開口部２２３は、平面視した場合に、長手方向（ＤＲ１方向）に一対の頂点が配置され、短手方向（ＤＲ２方向）に他の一対の頂点が配置されるひし形形状を有していてもよい。
【００３８】
開口部２２３がこのような形状を有することにより、蓋部４０を本体部２０に対して相対的にスライド移動させた場合に、カバーシート３０と開口部２２３の周囲に位置する部分の本体部２０との接合面積が剥離方向に沿って緩やかに変化する。これにより、カバーシート３０が剥離される際に、接合部３３に瞬間的に大きな力が作用して、カバーシート３０が破けたり、カバーシート３０が剥離不能となったりすることを防止することができる。
【００３９】
隆起部２３は、開口部２２３の開口端に設けられている。隆起部２３は、収納凹部２２の周囲に位置する部分の本体部２０に設けられていてもよい。隆起部２３は、収納凹部２２の深さ方向とは反対側に向けて隆起する。
【００４０】
隆起部２３は、開口部２２３を取り囲むように設けられている。隆起部２３は、平面視した場合に、開口部２２３を規定する周縁部とほぼ同様の形状を有する。開口部２２３と隣接する収納凹部２２の開口縁部は、湾曲部を有する。隆起部２３は、開口部２２３側において、収納凹部２２の底部２２１に向かうにつれて収納凹部２２の深さ方向に沿うように湾曲する湾曲部を有する。当該湾曲部の曲率半径Ｒは、０．１ｍｍ以上０．７ｍｍ以下であることが好ましい。このような湾曲部を有することにより、収納凹部２２から複数の電子部品１を取り出す際に、複数の電子部品１が隆起部２３に引っ掛かることを抑制することができる。
【００４１】
隆起部２３の高さは、０．５ｍｍ以上１．２ｍｍ以下である。隆起部２３の高さを上記のようにすることにより、蓋部４０と平板部２１との間に電子部品１等が挟み込まれることを抑制することができる。また、隆起部２３の幅は、１ｍｍ以上２ｍｍ以下程度である。隆起部２３を上記の幅とすることにより、カバーシート３０を隆起部２３から剥離する際に必要な力を小さくすることができる。これにより、蓋部４０および本体部２０が変形することを抑制することができ、隆起部２３からカバーシート３０を安定して剥離することができる。
【００４２】
カバーシート３０は、帯状形状を有する。長手方向（ＤＲ２方向）において、カバーシート３０の長さは、蓋部４０の長さよりも長い。好ましくは、カバーシート３０の長さは、本体部２０の長さの２倍以上である。
【００４３】
カバーシート３０は、蓋部４０に巻回されて保持されている。具体的には、カバーシート３０は、短手方向（ＤＲ２方向）を巻回軸とする軸回りに蓋部４０に巻回されている。これにより、カバーシート３０は、蓋部４０のおもて面４０ａ側に位置する部分３１と、蓋部４０のうら面４０ｂ側に位置する部分３２とを含む。
【００４４】
カバーシート３０の一端３０ａと他端３０ｂとは接着テープ５０によって接続されている。なお、カバーシート３０の一端３０ａは、蓋部４０のおもて面４０ａ側において、蓋部４０の一端側（図３中左側）から蓋部４０の他端側（図３中右側）に向けて延在するカバーシート３０の端部である。カバーシートの他端３０ｂは、蓋部４０のおもて面４０ａ側において、蓋部４０の他端側（図３中右側）から蓋部４０の一端側（図３中左側）に向けて延在するカバーシート３０の端部である。カバーシート３０の一端３０ａ側と他端３０ｂ側とは重ねられた状態で接続されている。
【００４５】
カバーシート３０は、後述するように、複数の隆起部２３の各々に接合された後に、蓋部４０に巻回される。その後、カバーシート３０の両端が接続される。カバーシート３０の両端は接続される限り、その接続方法は、上記のような接着テープによる接続に限定されない。
【００４６】
カバーシート３０は、蓋部４０の相対的なスライド移動に連動して蓋部４０の周りを周回するように蓋部４０に巻回されている。カバーシート３０は、蓋部４０がスライド方向（図４中ＡＲ２方向）に沿って相対的にスライド移動した場合に、図４中ＤＲ３方向に示すように、蓋部４０の周りを回転する。
【００４７】
カバーシート３０は、複数の開口部２２３を覆うように設けられている。カバーシート３０は、複数の開口部２２３のそれぞれの周囲に位置する部分の本体部２０の少なくとも一部に接合された接合部３３を有する。カバーシート３０は、上記本体部２０の少なくとも一部に剥離可能に接合されている。
【００４８】
カバーシート３０は、接合部３３に０．０５Ｎ以上５.００Ｎ以下の力を作用させた際に剥離されることが好ましい。
【００４９】
カバーシート３０は、たとえば、熱溶着性の材料によって構成されており、複数の隆起部２３の各々に熱溶着によって接合されている。収納凹部２２から電子部品１を取り出す際に、カバーシート３０の剥離後の部分に電子部品１が付着することを抑制するために、接合部３３におけるカバーシート３０および隆起部２３の粘着性は小さい方が好ましい。
【００５０】
なお、カバーシート３０は、接着剤によって複数の隆起部２３の各々に接合されてもよい。カバーシート３０は、透明であることが好ましいが、透明でなくてもよい。
【００５１】
カバーシート３０を用いて収納凹部２２内に複数の電子部品１を密封して電子部品連１００を製造する場合には、カバーシート３０を本体部２０に接合する。カバーシート３０を複数の隆起部２３に接合する際には、ひとつの収納凹部２２に複数の電子部品１を収納した後に当該ひとつの収納凹部２２に対応する部分の隆起部２３にカバーシート３０を接合し、次に、その隣に位置する収納凹部２２に複数の電子部品１を収納した後に当該収納凹部２２に対応する部分の隆起部２３にカバーシート３０を接合することを、長手方向の一方側から他方側にかけて順に繰り返し行う。なお、複数の収納凹部２２の各々に複数の電子部品１を収容し、カバーシート３０で複数の収納凹部２２を覆った後に、複数の隆起部２３にカバーシート３０を熱溶着して接合してもよい。カバーシート３０で複数の収納凹部２２を覆う際には、長手方向の両端からカバーシート３０がはみ出すように、カバーシート３０を長手方向に沿って本体部２０上に配置する。次に、所定の長さとなるようにカバーシート３０を切断する。所定の長さとは、カバーシート３０で蓋部４０を巻回可能な長さである。続いて、本体部２０上に位置するカバーシート３０を本体部２０とで挟み込むように蓋部４０を配置する。次に、上述したように、本体部２０の両端からはみ出す部分のカバーシート３０を蓋部４０に巻き付け、カバーシート３０の両端同士を接合する。このようにして、複数の収納凹部２２内に複数の電子部品１が密封され、電子部品連１が製造される。
【００５２】
カバーシート３０を構成する材料としては、たとえば、ポリエチレンテレフタラート、ポリカーボネート、アクリル、および塩化ビニル等を採用することができる。また、カバーシート３０に金属コートを施してもよい。
【００５３】
カバーシート３０の表面抵抗率は、１Ｅ１１Ω／□以下であることが好ましい。これにより、カバーシート３０の表面に、静電気によって電子部品１が付着することを抑制できる。
【００５４】
蓋部４０は、本体部２０（より特定的には、隆起部２３）との間にカバーシート３０の一部を挟み込むように配置されている。蓋部４０における本体部２０と対向する面は、カバーシート３０と繋がっていない。なお、繋がっていないとは、固定、接合されていないことを意味する。
【００５５】
蓋部４０は、板状部４１と、ガイド部４２とを含む。板状部４１は、長手方向（ＤＲ１方向）に沿って延在する。板状部４１は、平板部２１と略平行となるように設けられている。板状部４１にカバーシート３０が巻回されている。
【００５６】
ガイド部４２は、短手方向（ＤＲ２方向）における板状部４１の両端に設けられている。
【００５７】
ガイド部４２は、本体部２０から蓋部４０が脱落することを防止しつつ、蓋部４０のスライド移動を案内する。具体的には、ガイド部４２は、平板部２１のおもて面２１ａに対向する部分と平板部２１のうら面２１ｂに対向する部分との間に平板部２１が位置するように、平板部２１の端部に隙間を隔てて配置されている。
【００５８】
なお、ガイド部４２の形状は、蓋部４０が本体部２０に対して相対的にスライド移動可能となる限り適宜変更することができる。
【００５９】
蓋部４０を構成する材料としては、樹脂を採用することができる。樹脂部材は、透明であってもよいし、透明でなくてもよい。蓋部４０およびカバーシート３０を透明にした場合には、収納凹部２２内に複数の電子部品１が収納されていることを目視等にて確認することができる。
【００６０】
長手方向において、蓋部４０の長さは、本体部２０の長さよりも長い。長手方向において、蓋部４０の長さは、カバーシート３０の長さの半分以下である。
【００６１】
図４は、実施の形態に係る電子部品連の蓋部を本体部に対して相対的にスライド移動させる様子を示す図である。図５は、実施の形態に係る電子部品連から電子部品を取り出す様子を示す断面図である。なお、図４においては、便宜上のため収納凹部２２の開口部２２３が上方に向くように電子部品連１００が配置された状態を図示しているが、電子部品１を取り出す際には、図５に示すように、収納凹部２２の開口部２２３が下方に向くように電子部品連１００が配置された状態で、蓋部４０を本体部２０に対して相対的にスライド移動させる。図４および図５を参照して、実施の形態に係る電子部品連１００から電子部品１を取り出す様子を説明する。
【００６２】
図４および図５に示すように、収納凹部２２に収納された複数の電子部品１を取り出すためには、蓋部４０を本体部２０に対して相対的にスライド方向（ＡＲ２方向）に沿ってスライド移動させる。具体的には、固定装置（不図示）によって蓋部４０を固定して、本体部２０をＡＲ２方向と反対方向（ＡＲ３方向）にスライド移動させる。本体部２０は、搬送装置（不図示）によって所定量移動させられる。搬送装置は、本体部２０を載置して移動させるようなコンベヤ式でもよく、本体部２０を把持して移動させるような構成でもよい。
【００６３】
蓋部４０が相対的にスライド方向（ＡＲ２方向）に沿って移動する場合には、まず、蓋部４０の相対的なスライド方向の後方側に位置する接合部３３に剥離力が作用する。さらに、蓋部４０が相対的にスライド移動していくことにより、蓋部４０の相対的なスライド方向に沿ってカバーシート３０が徐々に剥離されていく。
【００６４】
この際、カバーシート３０は、蓋部４０の相対的なスライド移動に連動して、ＤＲ３方向に示すように、蓋部４０の周りを回転する。具体的には、蓋部４０の相対的なスライド方向の後方側において、蓋部４０のうら面４０ｂ側に位置する部分３２が蓋部４０のおもて面４０ａ側に移動し、蓋部４０の相対的なスライド方向の前方側において、蓋部４０のおもて面４０ａ側に位置する部分３１が蓋部４０のうら面４０ｂ側に移動するように、上記巻回軸回りに回転する。
【００６５】
ひとつの収納凹部２２に着目した場合には、蓋部４０の相対的なスライド方向における一端側から他端側にかけて開口部２２３の周囲（隆起部２３）からカバーシート３０が剥離されることにより、収納凹部２２が開封される。収納凹部２２が開封されることにより、複数の電子部品１が、開口部２２３から下方に向けて落下して、被供給部に供給される。
【００６６】
この際、収納凹部２２の内周面は、溝部等を有さず、平滑に形成されている。これにより、複数の電子部品１が収納凹部２２の内周面に引っ掛かることを抑制でき、複数の電子部品１を電子部品収納容器１０から円滑に取り出すことができる。
【００６７】
蓋部４０は、本体部２０の一端２０ａ側から他端２０ｂ側に向けて相対的にＡＲ２方向にスライド移動することにより、本体部２０の一端２０ａ側から他端２０ｂ側に向けて隆起部２３からカバーシート３０が剥離されていき、収納凹部２２が順に開封されていく。これにより、複数の電子部品１が、開封された収納凹部２２から順に取り出されていく。なお、蓋部４０の相対的なスライド移動は、連続的に行われてもよいし、断続的に行なわれてもよい。
【００６８】
以上のように、本実施の形態における電子部品収納容器１０および電子部品連１００にあっては、複数の電子部品１を円滑に取り出すことができる。
【００６９】
また、蓋部４０における本体部２０と対向する面が、カバーシート３０と接合されていないため、蓋部４０を本体部２０に対して相対的にスライド移動させた場合に、蓋部４０をスムースに移動させることができる。さらに、蓋部４０に対してもカバーシート３０が移動可能となり、本体部２０からのカバーシート３０の剥離を容易に行なうことができる。
【００７０】
また、カバーシート３０を蓋部４０によって保持し、蓋部４０を本体部２０に対して相対的にスライド移動可能に構成することにより、上記固定装置および上記搬送装置を用いて収納凹部２２の開封を自動的に行なうことができる。これにより、複数の電子部品１を被供給部に自動的に供給可能となる。
【００７１】
また、カバーシート３０を蓋部４０によって保持し、開口面２２４に平行な方向に沿って、蓋部４０を本体部２０に対して相対的にスライド移動可能に構成することにより、カバーシート３０の剥離時に、蓋部４０および本体部２０が変形することを抑制することができる。
【００７２】
（他の第１実施の形態）
なお、上述した実施の形態においては、カバーシート３０が蓋部４０に巻回されることにより、カバーシート３０が蓋部４０に保持される場合を例示して説明したが、カバーシートの構成および剥離方法は、これに限定されない。
【００７３】
図６は、他の実施の形態に係る電子部品連の断面図である。図６に示すように、蓋部４０の相対的なスライド方向の後方側に位置するカバーシート３０の端部３０ｂが蓋部４０に接合されることにより、カバーシート３０が蓋部４０に保持されていてもよい。たとえば、カバーシート３０の上記端部３０ｂは、蓋部４０の相対的なスライド方向の後方側の端部すなわち蓋部４０の他端を回り込むようにして、蓋部４０のおもて面４０ａに接合される。カバーシートの一端３０ａは、蓋部４０に巻回されておらず、本体部２０の他端２０ｂ側において、蓋部４０と本体部２０との間に位置する。蓋部４０における本体部２０と対向する面は、カバーシート３０と接合されていない。
【００７４】
図７は、他の第１実施の形態に係る電子部品連から電子部品を取り出す様子を示す断面図である。上記他の第１実施の形態のように構成される場合においても、図７に示すように、蓋部４０を本体部２０に対して相対的にスライド移動させた場合に、カバーシート３０は、蓋部４０の相対的なスライド方向（図７中ＡＲ２方向）の後方側に位置する接合部から、当該相対的なスライド方向に沿って剥離される。
【００７５】
（他の第２実施の形態）
図８は、他の第２実施の形態に係る電子部品連の断面図である。図８に示すように、カバーシート３０の端部３０ｂ側が、蓋部４０を巻回した状態で本体部２０に接合されている。このようにしてカバーシート３０が保持されてもよい。カバーシート３０の端部３０ｂは、たとえば、蓋部４０の相対的なスライド方向の前方側の端部、すなわち本体部２０の他端２０ｂ側に接合されている。カバーシート３０の一端３０ａは、蓋部４０に巻回されておらず、本体部２０の他端２０ｂ側において、蓋部４０と本体部２０との間に位置する。蓋部４０における本体部２０と対向する面は、カバーシート３０と接合されていない。
【００７６】
図９は、他の第２実施の形態に係る電子部品連から電子部品を取り出す様子を示す断面図である。上記他の第２実施の形態のように構成される場合においても、図９に示すように、蓋部４０を本体部２０に対して相対的にスライド移動させた場合に、カバーシート３０は、蓋部４０の相対的なスライド方向（図７中ＡＲ２方向）の後方側に位置する接合部から、当該相対的なスライド方向に沿って剥離される。
【００７７】
（その他の変形例）
上述した実施の形態においては、蓋部４０を固定して本体部２０をスライド移動させる場合を例示して説明したが、これに限定されず、本体部２０を固定して蓋部４０をスライド移動させてもよい。なお、蓋部４０を固定して本体部２０をスライド移動させる場合には、被供給部の設置位置を移動させることなく安定して被供給部に複数の電子部品１を供給することができる。
【００７８】
上述した実施の形態においては、本体部２０が、複数の収納凹部２２を含むように構成される場合を例示して説明したが、これに限定されず、単数の収納凹部２２を含むように構成されていてもよい。
【００７９】
上述した実施の形態においては、収納凹部２２が、複数の電子部品１を収納可能に構成される場合を例示して説明したが、これに限定されず、単数の電子部品１を収納可能に構成されていてもよい。
【００８０】
上述した実施の形態においては、本体部２０において、開口部２２３の周囲に位置する部分に隆起部２３が設けられている場合を例示して説明したが、これに限定されず、隆起部２３が設けられていなくてもよい。この場合には、開口部２２３を規定する収納凹部２２の内周面は、開口縁部において、収納凹部２２の底部２２１に向かうにつれて収納凹部２２の深さ方向に沿うように湾曲する湾曲部を有する。当該湾曲部の曲率半径は、０．１ｍｍ以上０．７ｍｍ以下であることが好ましい。
【００８１】
上述した実施の形態においては、ガイド部４２が、蓋部４０に設けられている場合を例示して説明したが、これに限定されず、本体部２０に設けられていてもよい。この場合には、蓋部４０は平板状に構成され、本体部２０における平板部２１の短手方向の両端側にガイド部が形成される。当該ガイド部は、蓋部４０の端面を跨いで蓋部４０のうら面４０ｂから蓋部４０のおもて面４０ａに折り曲げられるように構成される。
【００８２】
以上、今回発明された実施の形態および変形例はすべての点で例示であって制限的なものではない。本発明の範囲は請求の範囲によって示され、請求の範囲と均等の意味および範囲内でのすべての変更が含まれる。
【符号の説明】
【００８３】
１  電子部品、１０  電子部品収納容器、２０  本体部、２０ａ  一端、２１  平板部、２１ａ  おもて面、２１ｂ  うら面、２２  収納凹部、２３  隆起部、３０  カバーシート、３０ａ  一端、３０ｂ  他端、３３  接合部、４０  蓋部、４０ａ  おもて面、４０ｂ  うら面、４１  板状部、４２  ガイド部、５０  接着テープ、１００  電子部品連、２２１  底部、２２２  周壁部、２２３  開口部、２２４  開口面。
【図１】
2019065734.tif 000003
【図２】
2019065734.tif 000004
【図３】
2019065734.tif 000005
【図４】
2019065734.tif 000006
【図５】
2019065734.tif 000007
【図６】
2019065734.tif 000008
【図７】
2019065734.tif 000009
【図８】
2019065734.tif 000010
【図９】
2019065734.tif 000011
【国際調査報告】
2019065734.tif 000012
2019065734.tif 000013